(57)【要約】【課題】番組コンテンツの利用者数の更なる増加を図るため、視聴者側が手軽な手段で好みの番組を視聴等できる番組配信システムを提供すること。【解決手段】番組配信システム１は、番組コンテンツを放送する放送手段と、番組コンテンツをＩＰパケットに変換し、放送手段による放送と同期してＩＰネットワーク１００上に配信する配信手段と、放送手段により放送される番組コンテンツを受信して表示するテレビジョン装置１３と、配信手段により配信される番組コンテンツをＩＰネットワーク１００経由で受信して表示する複数の携帯端末１５と、を備えている。【選択図】図１
2015046733.tif 000002
【特許請求の範囲】
【請求項１】
番組コンテンツを放送する放送手段と、
前記番組コンテンツをＩＰパケットに変換し、前記放送手段による放送と同期してＩＰネットワーク上に配信する配信手段と、
前記放送手段により放送される番組コンテンツを受信して表示するテレビジョン装置と、
前記配信手段により配信される番組コンテンツをＩＰネットワーク経由で受信して表示する複数の携帯端末装置と、を備えた番組配信システム。
【請求項２】
前記配信手段は、過去に配信した番組コンテンツをＶＯＤ（Ｖｉｄｅｏ・Ｏｎ・Ｄｅｍａｎｄ）方式で再配信することを特徴とする請求項１に記載の番組配信システム。
【請求項３】
遊技機に関する情報を提供する番組コンテンツを配信するＩＰネットワーク上のウェブサイトにアクセスするためのアクセス情報を前記携帯端末装置に付与するために、複数の遊技機を設置する遊技場に設けられたアクセス情報付与手段を含み、
前記ウェブサイトは、ＶＯＤ方式で再配信可能な番組コンテンツを一覧表示するウェブページを含み、
いずれかの遊技場で付与された前記アクセス情報を利用して前記ウェブページにアクセスした携帯端末装置では、当該いずれかの遊技場に設置された遊技機に関する番組コンテンツが優先的に表示されることを特徴とする請求項２に記載の番組配信システム。
【請求項４】
遊技機に関する情報を提供する番組コンテンツを配信するＩＰネットワーク上の有料のウェブサイトへの無料アクセスを可能とするアクセス権利を前記携帯端末装置に付与するために、複数の遊技機を設置する遊技場に設けられたアクセス権利付与手段を含み、
前記ウェブサイトは、ＶＯＤ方式で再配信可能な番組コンテンツを一覧表示するウェブページを含み、
いずれかの遊技場で付与された前記アクセス権利を利用して前記ウェブページにアクセスした携帯端末装置では、予め設定された期限内に限って、当該いずれかの遊技場に設置された遊技機に関する番組コンテンツが選択可能に表示されることを特徴とする請求項２に記載の番組配信システム。
【請求項５】
前記配信手段は、前記番組コンテンツを配信する際、前記携帯端末装置に対して視聴者の識別情報及びパスワードによるログイン処理を要求し、複数の携帯端末装置から同一の識別情報によるログイン処理が行われたときには何れか１つの携帯端末装置に対してのみ番組コンテンツの受信を許可することを特徴とする請求項１〜４のいずれか１項に記載の番組配信システム。
【発明の詳細な説明】
【技術分野】
【０００１】
本発明は、番組コンテンツを配信する番組配信システムに関する。
【背景技術】
【０００２】
従来より、地上デジタル放送、衛星放送、ＩＰ放送といった様々な形式によりテレビ番組が配信されており、視聴者側の任意で好みの放送を受信することが可能である（例えば、特許文献１参照。）。また、テレビ番組を受信する端末装置としても一般的なテレビに限定されず、例えば、ＰＣ（パーソナルコンピュータ）、タブレット端末、スマートフォンなど様々な端末が利用されるようになっており、視聴者側の利便性が格段に向上しているといえる。
【先行技術文献】
【特許文献】
【０００３】
【特許文献１】特許第４３２４８１８号公報
【発明の概要】
【発明が解決しようとする課題】
【０００４】
番組コンテンツを提供する方法が多様化しているという昨今の放送事情がある一方、番組コンテンツの視聴者等を増やしたいという営業課題に対して、提供方法の多様化が十分に活用されているとは言い難い。
【０００５】
本発明は、前記従来の問題点に鑑みてなされたものであり、上記のような昨今の放送事情に鑑み、視聴者側が手軽な手段で好みの番組を視聴等できる番組配信システムを提供することにより、番組コンテンツの利用者数の更なる増加を図るための発明である。
【課題を解決するための手段】
【０００６】
本発明は、番組コンテンツを放送する放送手段と、
前記番組コンテンツをＩＰパケットに変換し、前記放送手段による放送と同期してＩＰネットワーク上に配信する配信手段と、
前記放送手段により放送される番組コンテンツを受信して表示するテレビジョン装置と、
前記配信手段により配信される番組コンテンツをＩＰネットワーク経由で受信して表示する複数の携帯端末装置と、を備えた番組配信システムにある（請求項１）。
【０００７】
本発明の番組配信システムは、番組コンテンツを放送する放送手段に加えて、前記番組コンテンツをＩＰパケットに変換し、前記放送手段による放送と同期してＩＰネットワーク上に配信する配信手段を備えている。
【０００８】
この番組配信システムでは、放送された番組コンテンツをテレビジョン装置を利用して受信できるほか、その放送と同期して配信される番組コンテンツをＩＰネットワーク経由で携帯端末装置により受信可能である。
【０００９】
本発明の番組配信システムでは、専用のアンテナやチューナー等の設備が必須ではなく、パーソナルコンピュータ、スマートフォン（多機能型携帯電話）、タブレット端末等の様々な携帯端末装置で番組コンテンツの受信が可能である。これらの携帯端末装置であれば、番組コンテンツを受信するためのアンテナやチューナー等の設備を必要としないので、どこでも手軽に好みの番組コンテンツを利用できる。
【００１０】
本発明の番組配信システムによれば、利用者側が手軽な手段で好みの番組コンテンツを視聴等できるので、番組コンテンツの利用者数の更なる増加を図ることができる。
【００１１】
本発明における好適な一態様の番組配信システムにおける配信手段は、過去に配信した番組コンテンツをＶＯＤ（Ｖｉｄｅｏ・Ｏｎ・Ｄｅｍａｎｄ）方式で再配信する（請求項２）。
ここで、ＶＯＤ方式とは、ユーザー側からの要求に応じて番組コンテンツを配信する方式をいう。配信済みの番組コンテンツをＶＯＤ方式で再配信すれば、提供する側の時間スケジュールに関わらず、いつでも利用者側の都合に合わせて番組コンテンツを受信できるようになるので、利用者側の利便性が一層向上する。
【００１２】
本発明における好適な一態様の番組配信システムは、遊技機に関する情報を提供する番組コンテンツを配信するＩＰネットワーク上のウェブサイトにアクセスするためのアクセス情報を前記携帯端末装置に付与するために、複数の遊技機を設置する遊技場に設けられたアクセス情報付与手段を含み、
前記ウェブサイトは、ＶＯＤ方式で再配信可能な番組コンテンツを一覧表示するウェブページを含み、
いずれかの遊技場で付与された前記アクセス情報を利用して前記ウェブページにアクセスした携帯端末装置では、当該いずれかの遊技場に設置された遊技機に関する番組コンテンツが優先的に表示される（請求項３）。
【００１３】
遊技場に設けられたアクセス情報付与手段から付与されたアクセス情報を利用すれば、前記ウェブサイトに容易にアクセスできると共に、その遊技場に設置された遊技機に関する番組コンテンツが前記ウェブページの中で優先的に表示される。その遊技場に設置された遊技機に関する情報を得ようとしたとき、その遊技機に関する番組コンテンツを前記ウェブページの中で容易に選択できる。このように前記番組配信システムによれば、遊技場に設置された遊技機に関する情報を提供することにより遊技者の遊技意欲を高め、遊技場に設置された遊技機の稼働を向上できる。
なお、特定の番組コンテンツを優先的に表示するとは、他の番組コンテンツよりも上位に表示する、他の番組コンテンツよりも目立つように表示する等を意味している。
【００１４】
本発明における好適な一態様の番組配信システムでは、遊技機に関する情報を提供する番組コンテンツを配信するＩＰネットワーク上の有料のウェブサイトへの無料アクセスを可能とするアクセス権利を前記携帯端末装置に付与するために、複数の遊技機を設置する遊技場に設けられたアクセス権利付与手段を含み、
前記ウェブサイトは、ＶＯＤ方式で再配信可能な番組コンテンツを一覧表示するウェブページを含み、
いずれかの遊技場で付与された前記アクセス権利を利用して前記ウェブページにアクセスした携帯端末装置では、予め設定された期限内に限って、当該いずれかの遊技場に設置された遊技機に関する番組コンテンツが選択可能に表示される（請求項４）。
【００１５】
遊技場に来場すれば、その遊技場に設置された遊技機に関する番組コンテンツを無料で受信できるようになる。遊技場に来場するように遊技者を動機付けでき、これにより、遊技場に設置された遊技機の稼働を向上できる。
【００１６】
本発明における好適な一態様の番組配信システムにおける配信手段は、前記番組コンテンツを配信する際、前記携帯端末装置に対して視聴者の識別情報及びパスワードによるログイン処理を要求し、複数の携帯端末装置から同一の識別情報によるログイン処理が行われたときには何れか１つの携帯端末装置に対してのみ番組コンテンツの受信を許可する（請求項５）。
【００１７】
この場合には、各種の携帯端末装置による番組コンテンツの受信を可能とするマルチデバイスを実現しつつ、一つの識別情報による複数の携帯端末装置からの同時ログインを禁止できる。複数の携帯端末装置からの同時ログインを禁止すれば、１つの利用契約で複数人に視聴されてしまう事態を未然に回避できる。
【図面の簡単な説明】
【００１８】
【図１】実施例１における、遊技情報提供システムの全体構成を示す構成図。
【図２】実施例１における、遊技情報表示装置を示す正面図。
【図３】実施例１における、遊技情報表示装置の電気的構成を示すブロック図。
【図４】実施例１における、サイトアクセス情報を表す２次元コードを表示する遊技情報表示装置を示す正面図。
【図５】実施例１における、携帯端末に表示された番組表画面を示す正面図。
【図６】実施例１における、携帯端末に表示された再配信画面を示す正面図。
【図７】実施例１における、サイトアクセス情報を利用したアクセス時の再配信画面を示す正面図。
【図８】実施例１における、サイトアクセス情報を利用したアクセス時の番組表画面を示す正面図。
【発明を実施するための形態】
【００１９】
本発明の実施の形態につき、以下の実施例を用いて具体的に説明する。
（実施例１）
本例は、遊技機に関する情報を提供する番組コンテンツを放送、配信する番組配信システム１に関する例である。この内容について、図１〜図８を用いて説明する。
【００２０】
図１の番組配信システム１は、番組コンテンツを放送する放送手段と、番組コンテンツをＩＰパケットに変換し、放送手段による放送と同期してＩＰネットワーク上に配信する配信手段と、を含むシステムである。放送された番組コンテンツは、テレビジョン装置１３によって受信して視聴可能である。配信された番組コンテンツは、ＰＣ（パーソナルコンピュータ）１６のほか、スマートフォン１５１やタブレット端末１５２等の携帯端末（携帯端末装置）１５等を利用して視聴可能である。この番組配信システム１では、放送手段による放送と配信手段による配信とがサイマル放送（同時再送信）として実施されるので、テレビジョン装置１３と携帯端末１５とで同時に同じ番組の視聴が可能となっている。
【００２１】
本例の放送手段は、番組コンテンツを供給する放送配信設備１０と、供給された番組コンテンツを搬送波に重畳して放送電波を生成すると共に、静止衛星１１１に向けてその放送電波を送信する送信設備１１と、放送電波を暗号化して中継するように静止衛星１１１に搭載された中継器とを含んで構成されている。中継器により周波数が変更されて中継された衛星電波は、パラボラアンテナが接続された衛星放送チューナー１３１によって受信可能である。この衛星放送チューナー１３１は、衛星放送の視聴契約を前提として暗号解除コードが設定された受信機であり、液晶ディスプレイ１３２と共にテレビジョン装置１３を構成している。この衛星放送チューナー１３１に液晶ディスプレイ１３２を接続すれば、番組コンテンツを視聴可能である。
【００２２】
配信手段は、番組コンテンツを供給するための放送配信設備１０と、供給された番組コンテンツをＩＰパケットに変換してＩＰネットワーク１００上に配信する番組配信サーバ１４と、を含んで構成されている。ＩＰネットワーク１００上に配信されたＩＰパケットは、ＩＰネットワーク１００に接続可能なＰＣ１６、スマートフォン１５１やタブレット端末１５２等の携帯端末１５によって受信できる。ＩＰパケットを受信した携帯端末１５等では、番組コンテンツを再生可能である。
【００２３】
放送配信設備１０は、コンピュター機能を有する図示しない制御装置を備えている。この制御装置は、放送等の時間スケジュールが予め定められた番組表に沿って、送信設備１１及び番組配信サーバ１４に番組コンテンツを供給する。さらに、番組配信サーバ１４に対しては、ＶＯＤ方式で携帯端末１５等から再配信要求を受けた番組コンテンツを供給可能である。
【００２４】
遊技場管理装置２０を含む遊技場側の場内システム２は、スロットマシン５１やパチンコ遊技機５２などの複数の遊技機５を管理するための各遊技場のシステムである。場内システム２は、遊技場管理装置２０を中心としてシステム構成されている。遊技場では、遊技情報表示装置３及び貸出装置２５が、遊技機５毎に個別に設置されている。遊技情報表示装置３は、遊技機５の上側に配置され、遊技媒体の貸出装置２５は、隣り合う遊技機５との間の隙間のスペースに配置されている。
【００２５】
場内システム２では、遊技場管理装置２０のほか、２台の遊技機５毎に設置された中継装置２７が場内ネットワーク２００に接続されている。遊技機５、遊技情報表示装置３及び貸出装置２５は、中継装置２７を介して通信可能な状態で遊技場管理装置２０に接続されている。遊技場に設置された各遊技機５に関する遊技情報は、遊技場管理装置２０によって遊技機５毎に管理されている。
【００２６】
なお、遊技場管理装置２０が管理する遊技情報は、例えば情報提供会社が遊技場外で運営する図示しないデータ管理サーバに送信されて蓄積され、遊技場毎に区分して管理される。データ管理サーバに対しては、ＩＰネットワーク１００に接続可能な携帯端末１５からのアクセスが可能となっている。携帯端末１５を所持する遊技者は、データ管理サーバが運営する遊技情報閲覧サービスを利用可能である。
【００２７】
以下、本例の番組配信システム１を構成する機器について説明する。まず、遊技場内に設置等された遊技機５、遊技情報表示装置３、遊技場管理装置２０、携帯端末１５を概説する。その後、ＩＰネットワーク１００を介して番組コンテンツを配信する番組配信サーバ１４について概説する。
【００２８】
まず、場内システム２を構成する機器について説明する。
（遊技機）
遊技機５としては、スロットマシン５１、及びパチンコ遊技機５２がある。
スロットマシン５１は、スタートレバーの操作に応じて図柄が変動してゲームが開始される遊技機である。スロットマシン５１の遊技では、ストップボタンの操作に応じて停止表示された図柄の組合せによって入賞が発生する。入賞役としては、入賞特典としてメダルの払出が設定された小役、リプレイ役のほか、小役の入賞確率が高まるボーナス状態の発生契機となるボーナス役等が設定されている。ボーナス役としては、払出数が多く最も有利なＢＢ（ビッグボーナス）状態の契機役であるＢＢ役と、ＲＢ（レギュラーボーナス）状態に対応するＲＢ役と、が設定されている。
【００２９】
スロットマシン５１の遊技では、所定数のメダルの投入によってゲームを開始でき、入賞した小役の種類に応じて所定数のメダルの払出を受けられる。入賞に応じて払い出されたメダルの払出数から遊技者が投入したメダルの投入数を差し引いた差メダル数が、遊技を通じて遊技者が獲得したメダルの枚数となる。
【００３０】
スロットマシン５１は、遊技信号の外部出力機能を備えており、遊技の進行に伴って以下の遊技信号を中継装置２７に出力する。
（１）セーフ信号（払出信号）：入賞に応じたメダルを１枚付与する毎に１回出力される。
（２）アウト信号（投入信号）：ゲームで消費されたメダルの枚数分、出力される。ゲームの開始に応じて出力される。
（３）スタート信号：ゲームが開始されたことを表す信号。スタートレバーの有効操作に応じて図柄変動が開始されたときに出力される。
（４）ボーナス信号：ボーナスゲームの継続中に出力されるレベル信号。ＢＢ状態に対応するＢＢ信号と、ＲＢ状態に対応するＲＢ信号と、がある。
【００３１】
パチンコ遊技機５２は、いわゆるセブン機と呼ばれるパチンコ遊技機であり、玉を遊技媒体として遊技される遊技機である。このパチンコ遊技機５２の遊技では、所定の始動口への玉の入賞に応じて大当たり判定用の抽選乱数が抽出されて大当たり抽選が実行されると共に、図柄変動がスタートする。大当たり抽選に当選したときには、「７７７」等の揃いの図柄の停止表示により大当たり当選が報知される。大当たり当選が発生すると、いわゆるアタッカーと呼ばれる大入賞装置が開口するラウンド遊技が複数回繰り返される大当たり状態が開始される。
【００３２】
パチンコ遊技機５２は、遊技信号の外部出力機能を備えており、遊技の進行に伴って以下の遊技信号を中継装置２７に出力する。
（１）セーフ信号（払出信号）：払出玉１０玉毎に１回出力される。セーフ（払出玉数）は、セーフ信号数×１０玉となる。
（２）アウト信号（投入信号）：使用玉１０玉毎に１回出力される。アウト（使用玉数）は、アウト信号数×１０玉となる。なお厳密には、アウト信号はパチンコ遊技機５２ではなく、使用玉を回収するために付設された玉回収装置から出力される。
（３）スタート信号：始動口への入賞を契機とした図柄変動（役物作動、スタート処理）１回につき１パルス出力される。
（４）大当たり信号：大当たり状態の継続中にレベル出力される状態信号。
【００３３】
（遊技情報表示装置）
遊技情報表示装置３は、各遊技機５毎に１：１で個別に対応して設けられ、大当たり回数やゲーム回数等その遊技機５に関する各種の遊技情報を表示する装置である。遊技情報表示装置３は、中継装置２７を介して遊技機５側から受信した遊技信号の受信回数をカウント等して遊技データを集計し、各種の遊技情報を生成する機能を備えている。生成された遊技情報は、遊技情報表示装置３により表示されると共に、遊技場管理装置２０に送信され遊技機５毎に管理される。
【００３４】
特に、本例の遊技情報表示装置３は、ＩＰネットワーク１００を経由して番組配信サーバ１４にアクセスするためのサイトアクセス情報（アクセス情報）を付与するアクセス情報付与手段としての機能を備えている。このサイトアクセス情報には、番組配信サーバ１４が提供するウェブサイトのＵＲＬ情報のほか、遊技場の識別情報である遊技場ＩＤが含まれている。なお、遊技情報表示装置３の詳しい構成及び機能については、後で詳しく説明する。
【００３５】
（遊技場管理装置）
遊技場管理装置２０は、遊技場に設置された各種の機器を管理する装置である。遊技場管理装置２０は、液晶ディスプレイや図示しないプリンタ等を含む出力部と、各種の演算処理を実行する装置本体と、キーボード及び図示しないマウスを含む入力部と、を備えている。装置本体は、演算処理を実行するＣＰＵ（Central Processing Unit）を中心とした制御機能、ハードディスクドライブ、ＲＯＭ（Read Only Memory）、ＲＡＭ（Random Access Memory）等を利用する記憶機能、及び各種信号あるいは情報を送受信する通信機能等を有している。
【００３６】
遊技場管理装置２０は、遊技場に設置された各遊技機５に関する遊技情報を、遊技機５毎に設置された遊技情報表示装置３から収集して管理する機能を備えている。遊技場管理装置２０が管理する各遊技機５に関する遊技情報は、遊技場ＩＤを対応付けられた上、遊技場外のデータ管理サーバ（図示略）に転送される。
【００３７】
（携帯端末）
番組配信サービスは、いわゆるスマートフォン１５１と呼ばれる多機能型携帯電話やタブレット端末１５２等、ＩＰネットワーク１００への接続機能を備えた携帯端末１５を用いて利用可能である。携帯端末１５は、タッチパネル式の大型の液晶ディスプレイを備えており、表示画面１５０へのタッチ操作に応じて各種機能を実行可能である。さらに、携帯端末１５は、カメラ機能を備えており、撮影したＱＲコード（Ｒ）等の２次元コードの読み取りが可能である。また、各携帯端末１５には、識別情報となる携帯ＩＤが記録されている。
【００３８】
携帯端末１５としては、通信機能の仕様が異なる２種類の端末がある。第１の携帯端末１５は、ＩＰネットワーク１００にアクセスする機能、ＷｉＦｉ等の無線ＬＡＮ機能、赤外線通信機能等を備えている。第２の携帯端末１５は、これらの通信機能に加えて、近接型非接触通信機能を備えている。
【００３９】
次に、番組配信サーバ１４について説明する。
（番組配信サーバ）
番組提供者により管理される番組配信サーバ１４は、ＩＰネットワーク１００を利用して番組コンテンツを配信するインターネットサーバである。
番組配信サーバ１４は、演算処理を実行するＣＰＵ（Central Processing Unit）を中心とした制御機能、ハードディスクドライブ、ＲＯＭ（Read Only Memory）、ＲＡＭ（Random Access Memory）等を利用する記憶機能、及び各種信号あるいは情報を送受信する通信機能等を備えるコンピュータ装置である。この番組配信サーバ１４には、液晶ディスプレイやプリンタ等の図示しない周辺機器や、キーボードやマウス等の図示しない入力デバイス等を接続可能である。
【００４０】
番組配信サーバ１４による番組コンテンツの配信方法には、２種類の方法がある。第１の配信方法は、番組コンテンツの放送に同期して、その番組コンテンツを配信する方法（サイマル放送）である。第２の配信方法は、利用者側からのリクエストに応じて特定の番組コンテンツを特定の利用者に再配信するＶＯＤ方式の配信方法である。
【００４１】
番組配信サーバ１４は、番組配信サービスの利用契約を交わし利用料金の支払を済ませた利用者の識別情報であるユーザーＩＤと認証用のパスワードを管理している。番組配信サーバ１４は、携帯端末１５からのアクセス時に入力されたログイン用のユーザーＩＤを照合でき、パスワードによる認証が行われたとき、ウェブサイトへのログインを認めて番組配信サービスの利用を許可する。
【００４２】
本例の番組配信サーバ１４は、マルチデバイス対応であって、ＰＣ１６、タブレット端末１５２、スマートフォン１５１のいずれでもログインが可能である。一方、ひとつのユーザーＩＤを利用した重複アクセスは許容せず、例えば、スマートフォン１５１からのログイン状態のとき、同じユーザーＩＤを利用したタブレット端末１５２からのログインは許容されないようになっている。これにより、一つのユーザーＩＤによって複数の場所で番組コンテンツが視聴されるおそれを未然に回避している。
【００４３】
なお、番組配信サーバ１４は、視聴率を算出する機能を備えている。本例の番組配信サーバ１４は、利用契約に応じて配布したユーザーＩＤの数である契約ＩＤ数に対して、ログイン中のユーザーＩＤの数であるログインＩＤ数の割合を計算し、この割合を視聴率として算出する。
【００４４】
さらに、本例の番組配信サーバ１４は、各遊技場の識別番号である遊技場ＩＤを記憶しているほか、各遊技場に設置された遊技機５の機種を表す機種リストデータを遊技場ＩＤに対応付けて管理している。番組配信サーバ１４では、遊技場ＩＤを介して各遊技場に設置された遊技機５の機種を特定可能である。
【００４５】
次に、遊技場内で遊技機５毎に個別に設置された遊技情報表示装置３について詳しく説明する。遊技情報表示装置３は、図２のごとく、大型の液晶ディスプレイよりなる液晶表示部３３を備える装置である。液晶表示部３３の表示画面３３０の下側には、呼出ボタン３４１、及びデータ切替ボタン３４３が配置され、上側には、ランプ部３２が配設されている。表示画面３３０の下側の右端、データ切替ボタン３４３の右側のスペースには、後述する非接触リーダライタ３５のリーダ読取面３５１が形成されている。
【００４６】
液晶表示部３３は、タッチパネル３３Ｐ（図３）が積層されたタッチ操作可能な表示部である。液晶表示部３３の表示画面３３０には、大当たり履歴や過去の遊技情報等、各種情報を表示可能である。表示画面３３０の表示は、データ切替ボタン３４３の操作に応じて適宜切り替えでき、番組配信サーバ１４にアクセスするためのサイトアクセス情報を表す２次元コード（図４を参照して後述する。）を表示させることも可能である。
【００４７】
遊技情報表示装置３は、図３のごとく、制御部３１を中心として電気的に構成されている。制御部３１は、ソフトウェアを実行して各種演算を実施するＣＰＵ３１１、メモリ手段としてのＲＯＭ３１２、ＲＡＭ３１４、信号の入出力を行うＩ／Ｏ部３１５を含んでいる。制御部３１に対しては、外部と信号の送受信を実行するＩ／Ｆ部３８、液晶表示部３３、従業員の呼出機能を有するランプ部３２、タッチパネル３３Ｐ、呼出ボタン３４１、データ切替ボタン３４３、近接型非接触通信のための非接触リーダライタ３５等が電気的に接続されている。非接触リーダライタ３５は、リーダ読取面３５１に近接された携帯端末１５から携帯ＩＤ等の情報を読み取る。
【００４８】
遊技情報表示装置３が中継装置２７を経由して遊技機５から取り込む遊技信号としては、（１）セーフ信号、（２）アウト信号、（３）スタート信号、（４）ボーナス信号あるいは大当たり信号等がある。
【００４９】
遊技情報表示装置３が集計するスロットマシン５１に関する遊技情報としては、例えば、以下の各遊技データがある。
（１）ＢＢ回数：ＢＢ状態の発生回数。
（２）ＲＢ回数：ＲＢ状態の発生回数。
（３）ボーナス間スタート回数：直前のボーナス状態が終了してからのスタート回数（ゲーム数）。
（４）本日累計スタート回数：当日、開店後の累計のスタート回数（ゲーム数）。
（５）差メダル数：遊技者側から見たメダル収支。払出信号を受信する毎に１枚ずつ加算される払出枚数から、投入信号を受信する毎に１枚ずつ加算される投入枚数を差し引いて差メダル数が演算される。
【００５０】
遊技情報表示装置３が集計するパチンコ遊技機５２に関する遊技情報としては、例えば、以下の各遊技データがある。
（１）大当たり回数：大当たり状態の発生回数。
（２）ボーナス間スタート回数：直前の大当たり状態が終了してからのスタート回数。
（３）本日累計スタート回数：当日、開店後の累計のスタート回数。
（４）差玉数：遊技者側から見た収支。払出信号を受信する毎に１０玉ずつ加算される払出玉数から、投入信号を受信する毎に１０玉ずつ加算される投入玉数を差し引いて差玉数が演算される。
【００５１】
図２中の表示画面３３０は、パチンコ遊技機５２に関する遊技情報の表示例である。遊技情報表示装置３の表示画面３３０は、略中央に配置されたセンター表示枠３３１を中心として構成されている。センター表示枠３３１の左側には、大当たり回数の表示欄３３２が配置され、上から、本日、前日、２日前の各大当たり回数が表示される。センター表示枠３３１の右側には、過去最高大当たり回数の表示欄３３７、大当たり間スタート回数の表示欄３３８、本日累計スタート回数の表示欄３３９が配置されている。さらに、センター表示枠３３１の下側には、最新１０回分の大当たり間スタート回数を棒グラフで表示するグラフ表示欄３３５が配置されている。図２の表示画面３３０は、差玉数の変動グラフがセンター表示枠３３１に表示された例である。
【００５２】
特に、本例の遊技情報表示装置３は、アクセス情報付与手段としての機能を備えており、データ切替ボタン３４３を適宜操作することで、図４に例示するサイトアクセス画面をセンター表示枠３３１に表示できる。このサイトアクセス画面には、サイトアクセス情報を表す２次元コードと、携帯端末１５による２次元コードの読み取りを促すメッセージとが配置されている。
【００５３】
サイトアクセス情報には、番組配信サービスを提供するウェブサイトのＵＲＬ情報、及び遊技場の識別情報である遊技場ＩＤ等が含まれている。詳しくは後述するが、このサイトアクセス情報を利用すれば、番組配信サービスを提供するウェブサイトに直ちにアクセスできるほか、遊技中の遊技場に設置された遊技機５に関する番組コンテンツの視聴等が容易になる。
【００５４】
次に、以上のような構成の番組配信システム１において、携帯端末１５を用いて番組配信サービスを利用する方法について説明する。まず、サイトアクセス情報に依らない通常のサービス利用手順について説明し、その後、サイトアクセス情報を利用したサービス利用手順について説明する。
【００５５】
サイトアクセス情報に依らない通常のサービス利用の場合、まず、携帯端末１５を介して番組配信サーバ１４が提供するウェブサイトにアクセスし、図示しないログイン画面上でログインを行う。このログイン画面で、ログイン用のユーザーＩＤとパスワードを入力すればログインが完了して番組配信サービスを利用可能な状態を設定できる。なお、ログイン用のユーザーＩＤ等を取得していない未登録の遊技者については、携帯端末１５に表示された新規登録画面を利用して新規会員登録の手続きを行うことで、番組配信サービスを利用するためのユーザーＩＤ等を取得でき、ログインが可能になる。
【００５６】
ログインを済ませた携帯端末１５では、放送と同期して配信される番組コンテンツの時間スケジュールを表す番組コンテンツの番組表を含む図５の番組表画面が表示される。同図の番組表画面内の番組表では、視聴したい番組コンテンツの表示枠をタッチ操作すると、その番組コンテンツを視聴したり視聴予約できる。
【００５７】
番組表の下側には、過去に配信された番組コンテンツの再配信を求めるデマンドボタン１５５が配置されている。デマンドボタン１５５をタッチ操作すると、携帯端末１５の表示画面１５０が図６の再配信画面に切り替えられる。再配信画面では、再配信可能な番組コンテンツが放送時点の新しいものから順番に一覧表示されている。視聴したい番組コンテンツの表示枠をタッチ操作すれば、再配信を受けてその番組コンテンツの視聴が可能になる。
【００５８】
次に、サイトアクセス情報による番組配信サービスの利用手順について説明する。サイトアクセス情報を利用するに当たっては、図４のサイトアクセス画面内のメッセージに従って携帯端末１５のカメラ機能を利用して２次元コードを撮影し、サイトアクセス情報を読み取る必要がある。
【００５９】
サイトアクセス情報を読み取った携帯端末１５では、そのサイトアクセス情報に含まれるＵＲＬ情報のウェブサイトが自動的にブラウザ表示され、まず、ログイン用のユーザーＩＤ及びパスワードの入力を求めるログイン画面が表示される。正しいユーザーＩＤ等が入力されたときには、通常利用の場合と同様、ログインが完了して図５の番組表画面が表示されて番組配信サービスの利用が可能になる。
【００６０】
サイトアクセス情報を利用してウェブサイトにアクセスしてログインしたときには、サイトアクセス情報に含まれる遊技場ＩＤが番組配信サーバ１４に送信される。番組配信サーバ１４は、その遊技場ＩＤに対応する機種リストデータを参照し、その遊技場に設置された遊技機５の機種を特定する。さらに、再配信可能な番組コンテンツの中から、特定された機種に関する番組コンテンツを注目コンテンツとして抽出する。
【００６１】
サイトアクセス情報を利用してアクセスしたときの相違点は、図５の番組表画面内のデマンドボタン１５５の操作に応じて表示される図７の再配信画面にある。この再配信画面では、サイトアクセス情報を取得した遊技場に設置された遊技機５に関する注目コンテンツが通常表示される一方、それ以外の番組コンテンツがシャドー表示（薄く表示）されている点で、図６の再配信画面とは相違している。注目コンテンツについては、ワンタップのタッチ操作によって選択可能である一方、それ以外の番組コンテンツにはダブルタップのタッチ操作を行わないと選択できないようになっている。
【００６２】
以上の通り、本例の番組配信システム１は、番組コンテンツを放送する放送手段に加えて、番組コンテンツをＩＰパケットに変換し放送と同期してＩＰネットワーク１００上に配信する配信手段を備えている。この番組配信システム１では、放送された番組コンテンツをテレビジョン装置１３を利用して受信できるほか、その放送と同期して配信される番組コンテンツをＩＰネットワーク１００経由で携帯端末１５等によって受信可能である。
【００６３】
この番組配信システム１では、専用のアンテナやチューナー等の設備が必須ではなく、ＰＣ１６のほか、スマートフォン１５１やタブレット端末１５２等の様々な携帯端末１５で番組コンテンツの受信が可能である。携帯端末１５等であれば、番組コンテンツを受信するためのアンテナやチューナー等の設備を必要としないので、どこでも手軽に好みの番組コンテンツを利用できる。
【００６４】
このように、本例の番組配信システム１によれば、利用者側が手軽な手段で好みの番組コンテンツを視聴等できるので、番組コンテンツの利用者数の更なる増加を図ることができる。
【００６５】
さらに、番組配信システム１が提供する番組配信サービスでは、サイトアクセス情報を利用してウェブサイトにアクセスしたとき、そのサイトアクセス情報の付与元の遊技場に関する番組コンテンツが注目コンテンツとして目立つように表示され（図７参照。）、再配信を容易に受けることが可能になり利便性が向上している。
【００６６】
遊技者にあっては、サイトアクセス情報を介して番組配信サービスを利用した際、サイトアクセス情報の付与元の遊技場に設置された遊技機５に関する番組コンテンツを視聴し易くなる。遊技場に設置された遊技機５の番組コンテンツを提供すれば、遊技者の遊技意欲を高め遊技場の稼働を向上できる。
【００６７】
本例の構成に代えて、あるいは加えて以下のような構成を採用することも良い。また、以下の各構成を適宜組み合わせて採用することも良い。
本例では、サイトアクセス情報を利用してアクセスしたときにそのサイトアクセス情報の付与元の遊技場をＭＹホールとして登録することも良い。登録されたＭＹホールを選択することで、その遊技場に設置された遊技機に関する番組コンテンツを直ちに表示させることが可能になる。なお、ＭＹホール登録できる遊技場の数は１つでも良いし、２つ以上であっても良い。
【００６８】
本例では、ＵＲＬ情報及び遊技場ＩＤに加えて、遊技中の遊技機５の情報等を含めてサイトアクセス情報を構成することも良い。サイトアクセス情報に含まれる遊技機５の情報を利用すれば、番組配信サーバ１４側で遊技中の遊技機の機種の特定が可能になる。例えば、遊技中の遊技機５に関する番組コンテンツの再配信を受けるか否かの選択画面を携帯端末１５に表示させることも良い。遊技しようとする遊技機の遊技仕様や遊技方法を知らない遊技者の場合であれば、その遊技機に関する番組コンテンツは非常に有用である。
【００６９】
本例の携帯端末１５は、２次元コードを撮影してサイトアクセス情報を読み取るように構成されている。近接型非接触通信機能を備える携帯端末１５の場合であれば、非接触リーダライタ３５による近接型非接触通信でサイトアクセス情報を受信することも良い。この場合であれば、２次元コードの撮影が必要でなくなり、遊技者側の手間が少なくなる。さらに、携帯端末１５がＷｉＦｉ等の無線ＬＡＮ機能を備えている場合であれば、サイトアクセス情報を無線で受信することも良い。
【００７０】
本例は、遊技情報表示装置３からサイトアクセス情報を取得できるように構成した例である。サイトアクセス情報を付与する機器は遊技情報表示装置３に限定されず、遊技場内に設置されるサービス用機器（貸出装置２５、遊技媒体計数装置、景品交換装置など）であればいずれの機器であっても良い。
【００７１】
本例の遊技情報表示装置３は、携帯端末１５の携帯ＩＤを読み取りできたか否かに関わらず、データ切替ボタン３４３の操作に応じてサイトアクセス情報を表す２次元コードを表示するように構成されている。これに代えて、携帯ＩＤを読み取りできた場合に、２次元コードを表示することも良い。
【００７２】
本例では、サイトアクセス情報を利用したアクセス時と、利用しないアクセス時とで、共通する番組表画面（図５）を携帯端末１５に表示させる例である。これに代えて、サイトアクセス情報を利用したアクセス時には、そのサイトアクセス情報の付与元の遊技場に設置された遊技機に関する番組コンテンツをハイライト表示（太枠、太字による強調表示）することも良い（図８参照。）。
【００７３】
なお、本例の番組配信システム１からサイトアクセス情報に関する構成を省略することも良い。
携帯端末１５としては、例示したスマートフォン１５１やタブレット端末１５２のほか、通信機能を備えたノートＰＣやゲーム端末等がある。
【００７４】
（実施例２）
本例は、実施例１の番組配信システムを基にして、サイトアクセス情報の内容を変更した例である。この番組配信システムでは、サイトアクセス情報に基づく無料でのサービス利用が可能になっている。
本例の番組配信システムにおいては、サイトアクセス情報に含まれる遊技場ＩＤがアクセス権利となり、番組配信サービスの利用契約を結んでいない遊技者による無料の限定利用が可能になっている。
【００７５】
番組配信サーバ１４（図１参照。）は、ユーザーＩＤを持たない遊技者が所持する携帯端末１５（図１）がサイトアクセス情報を読み取ってアクセスしたとき、サイトアクセス情報に含まれる遊技場ＩＤによって遊技情報閲覧サービスへのログインを自動的に完了する。この場合、その遊技場ＩＤの遊技場に設置された遊技機に関する番組コンテンツのみが視聴可能に制限されると共に、視聴可能時間は１時間のみとなっている。
【００７６】
なお、無料の限定利用を設定する一方、月額の利用料金を支払っている遊技者がサイトアクセス情報を読み取って番組配信サーバ１４にアクセスしたときに付与する特典を設定することも良い。特典としては、例えば、月額の利用料金の割引や、通常は閲覧できない特定の情報を閲覧可能にすること等が考えられる。
【００７７】
本例では、遊技情報表示装置３から読み取ったサイトアクセス情報のアクセス権利の有効期限を１時間としている。有効期限はこれに限定されず、例えば当日中に限って有効にしたり、２日間に渡って有効にしたり等、適宜設定することができる。
さらに、アクセス権利を取得した遊技場内に携帯端末１５が位置していることを無料利用の条件に加えることも良い。この場合であれば、アクセス権利を付与した当日内であるという期限を設定することも良い。当日、遊技場に滞在する限り番組配信サービスを無料で利用できることになるので、長く遊技場に滞在するように仕向けることが可能になる。遊技場内に携帯端末１５が位置しているという条件付けとして、例えば、遊技場に設置されたＷｉＦｉスポットを経由したアクセスに限るという条件を設定することも良い。あるいは、携帯端末１５で受信可能な電波を遊技場側から送信するように構成すると共に、携帯端末１５がその電波を受信している状態下のアクセスに限るという条件等を設定することも良い。
【００７８】
本例は、実施例１のサイトアクセス情報の利用に代えて、サイトアクセス情報をアクセス権利として利用した例である。実施例１のサイトアクセス情報の利用に加えて、アクセス権利としてのサイトアクセス情報の利用を設定することも良い。
なお、その他の構成及び作用効果については、実施例１と同様である。
【００７９】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形、変更、あるいは適宜、組み合わせた技術を包含している。
【符号の説明】
【００８０】
１  番組配信システム
１０  放送配信設備（放送手段、配信手段）
１００  ＩＰネットワーク
１１  送信設備（放送手段）
１１１  静止衛星（放送手段）
１３  テレビジョン装置
１４  番組配信サーバ（配信手段）
１５  携帯端末（携帯端末装置）
１５１  スマートフォン
１５２  タブレット端末
１６  ＰＣ（パーソナルコンピュータ）
２  場内システム
２０  遊技場管理装置
２００  場内ネットワーク
３  遊技情報表示装置（アクセス情報付与手段）
５  遊技機
５１  スロットマシン
５２  パチンコ遊技機
【図１】
2015046733.tif 000003
【図２】
2015046733.tif 000004
【図３】
2015046733.tif 000005
【図４】
2015046733.tif 000006
【図５】
2015046733.tif 000007
【図６】
2015046733.tif 000008
【図７】
2015046733.tif 000009
【図８】
2015046733.tif 000010
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
番組コンテンツを放送する放送手段と、
前記番組コンテンツをＩＰパケットに変換し、前記放送手段による放送と同期してＩＰネットワーク上に配信する配信手段と、
前記放送手段により放送される番組コンテンツを受信して表示するテレビジョン装置と、
前記配信手段により配信される番組コンテンツをＩＰネットワーク経由で受信して表示する複数の携帯端末装置と、を備え、前記配信手段は、過去に配信した番組コンテンツをＶＯＤ（Ｖｉｄｅｏ・Ｏｎ・Ｄｅｍａｎｄ）方式で再配信するように構成されている番組配信システムにおいて、
遊技機に関する情報を提供する番組コンテンツを配信するＩＰネットワーク上のウェブサイトにアクセスするためのアクセス情報を前記携帯端末装置に付与するために、複数の遊技機を設置する遊技場に設けられたアクセス情報付与手段を含み、
前記ウェブサイトは、ＶＯＤ方式で再配信可能な番組コンテンツを一覧表示するウェブページを含み、
いずれかの遊技場で付与された前記アクセス情報を利用して前記ウェブサイトにアクセスした携帯端末装置で表示される前記ウェブページでは、当該いずれかの遊技場に設置された遊技機に関する番組コンテンツの表示を、当該いずれかの遊技場に設置されていない遊技機に関する番組コンテンツの表示よりも上位に表示するか、あるいは目立つように表示することにより、当該いずれかの遊技場に設置された遊技機に関する番組コンテンツが優先的に表示されることを特徴とする番組配信システム。
【請求項２】
番組コンテンツを放送する放送手段と、
前記番組コンテンツをＩＰパケットに変換し、前記放送手段による放送と同期してＩＰネットワーク上に配信する配信手段と、
前記放送手段により放送される番組コンテンツを受信して表示するテレビジョン装置と、
前記配信手段により配信される番組コンテンツをＩＰネットワーク経由で受信して表示する複数の携帯端末装置と、を備え、前記配信手段は、過去に配信した番組コンテンツをＶＯＤ（Ｖｉｄｅｏ・Ｏｎ・Ｄｅｍａｎｄ）方式で再配信するように構成されている番組配信システムにおいて、
遊技機に関する情報を提供する番組コンテンツを配信するＩＰネットワーク上のウェブサイトにアクセスするためのアクセス情報を前記携帯端末装置に付与するために、複数の遊技機を設置する遊技場に設けられたアクセス情報付与手段を含み、
前記ウェブサイトは、ＶＯＤ方式で再配信可能な番組コンテンツを一覧表示するウェブページを含み、
いずれかの遊技場で付与された前記アクセス情報を利用して前記ウェブサイトにアクセスした携帯端末装置で表示される前記ウェブページでは、当該いずれかの遊技場に設置された遊技機に関する番組コンテンツを選択するための操作の方が、当該いずれかの遊技場に設置されていない遊技機に関する番組コンテンツを選択するための操作よりも手間が少ないことを特徴とする番組配信システム。
【請求項３】
前記アクセス情報付与手段のうち遊技機に対応して設けられたアクセス情報付与手段は、遊技機の機種を特定可能な情報を含むアクセス情報を付与し、
いずれかの遊技機に対応して設けられたアクセス情報付与手段から付与されたアクセス情報を利用して前記ウェブサイトにアクセスした携帯端末装置では、当該いずれかの遊技機に関する番組コンテンツの再配信を受けるか否かの選択画面を表示可能であることを特徴とする請求項１又は２に記載の番組配信システム。
【請求項４】
遊技機に関する情報を提供する番組コンテンツを配信するＩＰネットワーク上の有料のウェブサイトへの無料アクセスを可能とするアクセス権利を前記携帯端末装置に付与するために、複数の遊技機を設置する遊技場に設けられたアクセス権利付与手段を含み、
いずれかの遊技場で付与された前記アクセス権利を利用して前記ウェブサイトにアクセスした携帯端末装置で表示される前記ウェブページでは、予め設定された期限内に限って、当該いずれかの遊技場に設置された遊技機に関する番組コンテンツが選択可能に表示されることを特徴とする請求項１〜３のいずれか１項に記載の番組配信システム。
【請求項５】
前記配信手段は、前記番組コンテンツを配信する際、前記携帯端末装置に対して視聴者の識別情報及びパスワードによるログイン処理を要求し、複数の携帯端末装置から同一の識別情報によるログイン処理が行われたときには何れか１つの携帯端末装置に対してのみ番組コンテンツの受信を許可することを特徴とする請求項１〜４のいずれか１項に記載の番組配信システム。
【手続補正２】
【補正対象書類名】明細書
【補正対象項目名】０００６
【補正方法】変更
【補正の内容】
【０００６】
本発明の第１の態様は、番組コンテンツを放送する放送手段と、
前記番組コンテンツをＩＰパケットに変換し、前記放送手段による放送と同期してＩＰネットワーク上に配信する配信手段と、
前記放送手段により放送される番組コンテンツを受信して表示するテレビジョン装置と、
前記配信手段により配信される番組コンテンツをＩＰネットワーク経由で受信して表示する複数の携帯端末装置と、を備え、前記配信手段は、過去に配信した番組コンテンツをＶＯＤ（Ｖｉｄｅｏ・Ｏｎ・Ｄｅｍａｎｄ）方式で再配信するように構成されている番組配信システムにおいて、
遊技機に関する情報を提供する番組コンテンツを配信するＩＰネットワーク上のウェブサイトにアクセスするためのアクセス情報を前記携帯端末装置に付与するために、複数の遊技機を設置する遊技場に設けられたアクセス情報付与手段を含み、
前記ウェブサイトは、ＶＯＤ方式で再配信可能な番組コンテンツを一覧表示するウェブページを含み、
いずれかの遊技場で付与された前記アクセス情報を利用して前記ウェブサイトにアクセスした携帯端末装置で表示される前記ウェブページでは、当該いずれかの遊技場に設置された遊技機に関する番組コンテンツの表示を、当該いずれかの遊技場に設置されていない遊技機に関する番組コンテンツの表示よりも上位に表示するか、あるいは目立つように表示することにより、当該いずれかの遊技場に設置された遊技機に関する番組コンテンツが優先的に表示されることを特徴とする番組配信システムにある（請求項１）。
本発明の第２の態様は、番組コンテンツを放送する放送手段と、
前記番組コンテンツをＩＰパケットに変換し、前記放送手段による放送と同期してＩＰネットワーク上に配信する配信手段と、
前記放送手段により放送される番組コンテンツを受信して表示するテレビジョン装置と、
前記配信手段により配信される番組コンテンツをＩＰネットワーク経由で受信して表示する複数の携帯端末装置と、を備え、前記配信手段は、過去に配信した番組コンテンツをＶＯＤ（Ｖｉｄｅｏ・Ｏｎ・Ｄｅｍａｎｄ）方式で再配信するように構成されている番組配信システムにおいて、
遊技機に関する情報を提供する番組コンテンツを配信するＩＰネットワーク上のウェブサイトにアクセスするためのアクセス情報を前記携帯端末装置に付与するために、複数の遊技機を設置する遊技場に設けられたアクセス情報付与手段を含み、
前記ウェブサイトは、ＶＯＤ方式で再配信可能な番組コンテンツを一覧表示するウェブページを含み、
いずれかの遊技場で付与された前記アクセス情報を利用して前記ウェブサイトにアクセスした携帯端末装置で表示される前記ウェブページでは、当該いずれかの遊技場に設置された遊技機に関する番組コンテンツを選択するための操作の方が、当該いずれかの遊技場に設置されていない遊技機に関する番組コンテンツを選択するための操作よりも手間が少ないことを特徴とする番組配信システムにある（請求項２）。
【手続補正３】
【補正対象書類名】明細書
【補正対象項目名】００１１
【補正方法】変更
【補正の内容】
【００１１】
本発明の番組配信システムにおける配信手段は、過去に配信した番組コンテンツをＶＯＤ（Ｖｉｄｅｏ・Ｏｎ・Ｄｅｍａｎｄ）方式で再配信する。
ここで、ＶＯＤ方式とは、ユーザー側からの要求に応じて番組コンテンツを配信する方式をいう。配信済みの番組コンテンツをＶＯＤ方式で再配信すれば、提供する側の時間スケジュールに関わらず、いつでも利用者側の都合に合わせて番組コンテンツを受信できるようになるので、利用者側の利便性が一層向上する。
【手続補正４】
【補正対象書類名】明細書
【補正対象項目名】００１２
【補正方法】変更
【補正の内容】
【００１２】
前記第１の態様の番組配信システムは、遊技機に関する情報を提供する番組コンテンツを配信するＩＰネットワーク上のウェブサイトにアクセスするためのアクセス情報を前記携帯端末装置に付与するために、複数の遊技機を設置する遊技場に設けられたアクセス情報付与手段を含み、
前記ウェブサイトは、ＶＯＤ方式で再配信可能な番組コンテンツを一覧表示するウェブページを含み、
いずれかの遊技場で付与された前記アクセス情報を利用して前記ウェブページにアクセスした携帯端末装置では、当該いずれかの遊技場に設置された遊技機に関する番組コンテンツが優先的に表示される。
【手続補正５】
【補正対象書類名】明細書
【補正対象項目名】００１４
【補正方法】変更
【補正の内容】
【００１４】
本発明における好適な一態様の番組配信システムでは、前記アクセス情報付与手段のうち遊技機に対応して設けられたアクセス情報付与手段は、遊技機の機種を特定可能な情報を含むアクセス情報を付与し、
いずれかの遊技機に対応して設けられたアクセス情報付与手段から付与されたアクセス情報を利用して前記ウェブサイトにアクセスした携帯端末装置では、当該いずれかの遊技機に関する番組コンテンツの再配信を受けるか否かの選択画面を表示可能である（請求項３）。
例えば、遊技しようとする遊技機の遊技仕様や遊技方法を知らない遊技者の場合、その遊技機に関する番組コンテンツは非常に有用である。このような場合、その遊技機に関する番組コンテンツの再配信を受けるか否かの選択画面を携帯端末装置に表示させると良い。
本発明における好適な一態様の番組配信システムでは、遊技機に関する情報を提供する番組コンテンツを配信するＩＰネットワーク上の有料のウェブサイトへの無料アクセスを可能とするアクセス権利を前記携帯端末装置に付与するために、複数の遊技機を設置する遊技場に設けられたアクセス権利付与手段を含み、
いずれかの遊技場で付与された前記アクセス権利を利用して前記ウェブサイトにアクセスした携帯端末装置で表示される前記ウェブページでは、予め設定された期限内に限って、当該いずれかの遊技場に設置された遊技機に関する番組コンテンツが選択可能に表示される（請求項４）。